(57)【要約】      （修正有）【課題】携帯情報端末等に搭載される撮像装置に好適で、近距離被写体に対するフォーカス時にも諸収差が十分補正された撮像レンズ及びそれを用いた撮像装置を提供する。【解決手段】固体撮像素子の撮像面に被写体像を結像させるために５枚以上のレンズを有する撮像レンズは、物体側から順に、前群Ｌ１〜Ｌ３と後群Ｌ４〜Ｌ６とからなり、前群において、物体側に配置された正の屈折力を有するレンズ（Ａ）Ｌ１と、像側に配置された負の屈折力を有するレンズ（Ｂ）Ｌ２とが隣り合って並んでおり、後群において、最も像側のレンズ（Ｃ）Ｌ６の像側面は有効径内に極値を持ち、遠距離被写体のフォーカシング時に対して、近距離被写体に対するフォーカシング時に、前群と後群は物体側へ移動し、その際の位置変化量が以下の条件式を満足する。１．００＜ＭＦ／ＭＲ＜１．８０（１）、但しＭＦ：前群の位置変化量（ｍｍ）、ＭＲ：後群の位置変化量（ｍｍ）【選択図】図５
2015114505.tif 000002
【特許請求の範囲】
【請求項１】
固体撮像素子の撮像面に被写体像を結像させるために５枚以上のレンズを有する撮像レンズであって、
物体側から順に、前群と後群とからなり、
前記前群において、物体側に配置された正の屈折力を有するレンズ（Ａ）と、前記レンズ（Ａ）より像側に配置された負の屈折力を有するレンズ（Ｂ）とが隣り合って並んでおり、
前記後群において、最も像側のレンズ（Ｃ）の像側面は有効径内に極値を持ち、
遠距離にある被写体を撮影する場合と、近距離にある被写体を撮影する場合とで、前記前群と前記後群の位置変化量が以下の条件式を満足することを特徴とする撮像レンズ。
１．００＜ＭＦ／ＭＲ＜１．８０      （１）
但し
ＭＦ：前記前群の位置変化量（ｍｍ）
ＭＲ：前記後群の位置変化量（ｍｍ）
【請求項２】
前記後群における最も像側のレンズ（Ｃ）は、光軸付近に負の屈折力を持ち、周辺に正の屈折力を持つことを特徴とする請求項１に記載の撮像レンズ。
【請求項３】
前記レンズ（Ａ）の正の屈折力は、前記前群における他のレンズが持つ正の屈折力のうち最大であり、以下の条件式を満足することを特徴とする請求項１又は２に記載の撮像レンズ。
０．６＜ｆｐ／ｆ＜１．２      （２）
但し
ｆｐ：前記前群のレンズ（Ａ）の焦点距離（ｍｍ）
ｆ：前記撮像レンズの遠距離被写体撮影時の焦点距離（ｍｍ）
【請求項４】
前記レンズ（Ｂ）は、以下の条件式を満足することを特徴とする請求項１〜３のいずれかに記載の撮像レンズ。
−２．０＜ｆｎ／ｆ＜−０．８      （３）
但し
ｆｎ：前記前群のレンズ（Ｂ）の焦点距離（ｍｍ）
ｆ：前記撮像レンズの遠距離被写体撮影時の焦点距離（ｍｍ）
【請求項５】
以下の条件式を満足することを特徴とする請求項１〜４のいずれかに記載の撮像レンズ。
−１．０＜ｆｐ／ｆｎ＜−０．３      （４）
但し
ｆｐ：前記前群のレンズ（Ａ）の焦点距離（ｍｍ）
ｆｎ：前記前群のレンズ（Ｂ）の焦点距離（ｍｍ）
【請求項６】
前記前群において、前記レンズ（Ａ）は最も物体側に配置され、前記レンズ（Ｂ）は、物体側から２番目に配置されていることを特徴とする請求項１〜５のいずれかに記載の撮像レンズ。
【請求項７】
実質的に屈折力を有しないレンズを有することを特徴とする請求項１〜６のいずれかに記載の撮像レンズ。
【請求項８】
請求項１〜７のいずれかに記載の撮像レンズを備えることを特徴とする撮像装置。
【発明の詳細な説明】
【技術分野】
【０００１】
本発明は、ＣＣＤ（Ｃｈａｒｇｅ  Ｃｏｕｐｌｅｄ  Ｄｅｖｉｃｅｓ）型イメージセンサやＣＭＯＳ（Ｃｏｍｐｌｅｍｅｎｔａｒｙ  Ｍｅｔａ１−Ｏｘｉｄｅ  Ｓｅｍｉｃｏｎｄｕｃｔｏｒ）型イメージセンサ等の固体撮像素子を用いた撮像装置に好適な撮像レンズ及び撮像レンズを用いた撮像装置に関するものである。
【背景技術】
【０００２】
近年、CCD型イメージセンサあるいはCMOS型イメージセンサ等の固体撮像素子を用いた撮像素子の高性能化、小型化に伴い、撮像装置を備えた携帯電話や携帯情報端末が普及しつつある。さらに最近では、このような携帯情報端末等に搭載されるディスプレイは、ユーザーに高付加価値をアピールすべく大型化・高精細化が推進され、これに対応して撮像素子も一層の高画素化が求められている。しかしながら、ディスプレイや撮像素子の高性能化のみではユーザーの要求に応えるには不十分であり、撮像機能に対する要求も高まっている。このような撮像機能に対する要求としては、近距離被写体にもフォーカシング可能としてマクロ撮影を可能とすることなどがある。しかしながら、撮像レンズを一体で繰り出すことで近距離被写体にフォーカシングを行うようにすると、収差変動が過大になりやすいという問題がある。
【０００３】
これに対し、撮像レンズを前群と後群とに分割し、近距離被写体にフォーカシングする際に、それぞれ異なる繰り出し量とすることで、フォーカシングによる収差変動を抑制する技術が特許文献１に記載されている。
【先行技術文献】
【特許文献】
【０００４】
【特許文献１】特開２００４−２４００７４号公報
【発明の概要】
【発明が解決しようとする課題】
【０００５】
一方、撮像装置を搭載する携帯情報端末等の薄形化を図るべく、撮像装置の小型化の要求も根強くある。このような要求に対して、画素数を増大しつつも小型化を図るため、画素サイズの小さい撮像素子も開発されている。しかるに、撮像素子の画素サイズが小さくなると、その分１画素が受光できる光量が減少するため、Ｓ／Ｎ比が小さくなることによるノイズや、露光時間が長くなるため発生する手振れによる画像劣化が問題となる。
【０００６】
かかる問題の対策のため、画素サイズの小さい撮像素子に対し、より明るい撮像レンズ（例えば、Ｆ１．９以下の大口径レンズ）を組み合わせることも考えられる。しかしながら、レンズの大口径化は受光光量の増加には寄与する一方、球面収差やコマ収差などの単色収差の発生を招き、光学性能を劣化させる恐れがある。また、大口径の撮像レンズは、近距離被写体に対するフォーカス時の光線通過位置が変化しやすいため、収差変動も大きいという問題がある。
【０００７】
ここで、特許文献１に記載の撮像レンズにおいて、前群は物体側から正の第１レンズ、絞り、正の第２レンズの順に並んでいる。この撮像レンズをこのまま大口径化しようとすると、口径の大きさに大きな影響を受ける球面収差やコマ収差が増大し、高性能化が難しくなるが、前群に正レンズしか含まない構成では収差補正が困難である。また、特許文献１の撮像レンズは全系で３枚のレンズから構成されているが、大口径化しようとすると一般的に３枚構成では収差補正が困難となり、高性能化の妨げとなる恐れがある。
【０００８】
本発明は、このような問題点に鑑みてなされたものであり、携帯情報端末等に搭載される撮像装置に好適であり、大口径化した場合でも諸収差が良好に補正され、なおかつ近距離被写体に対するフォーカス時にも諸収差が十分補正された撮像レンズ及びそれを用いた撮像装置を提供することを目的とする。
【０００９】
ここで、小型の撮像レンズの尺度であるが、本発明では下式を満たすレベルの小型化を目指している。この範囲を満たすことで、撮像装置全体の小型軽量化が可能となる。
Ｌ／２Ｙ＜１．００      （５）
ただし、
Ｌ：撮像レンズ全系の最も物体側のレンズ面から像側焦点までの光軸上の距離
２Ｙ：固体撮像素子の撮像面対角線長（固体撮像素子の矩形実効画素領域の対角線長）
ここで、像側焦点とは撮像レンズに光軸と平行な平行光線が入射した場合の像点をいう。
なお、撮像レンズの最も像側の面と像側焦点位置との間に、光学的ローパスフィルタ、赤外線カットフィルタ、または固体撮像素子パッケージのシールガラス等の平行平板が配置される場合には、平行平板部分は空気換算距離としたうえで上記Ｌの値を計算するものとする。また、より望ましくは下式の範囲が良い。
Ｌ／２Ｙ＜０．９５      （５）’
【課題を解決するための手段】
【００１０】
請求項１に記載の撮像レンズは、固体撮像素子の撮像面に被写体像を結像させるために５枚以上のレンズを有する撮像レンズであって、
物体側から順に、前群と後群とからなり、
前記前群において、物体側に配置された正の屈折力を有するレンズ（Ａ）と、前記レンズ（Ａ）より像側に配置された負の屈折力を有するレンズ（Ｂ）とが隣り合って並んでおり、
前記後群において、最も像側のレンズ（Ｃ）の像側面は有効径内に極値を持ち、
遠距離にある被写体を撮影する場合と、近距離にある被写体を撮影する場合とで、前記前群と前記後群の位置変化量が以下の条件式を満足することを特徴とする。
１．００＜ＭＦ／ＭＲ＜１．８０      （１）
但し
ＭＦ：前記前群の位置変化量（ｍｍ）
ＭＲ：前記後群の位置変化量（ｍｍ）
【００１１】
固体撮像素子の撮像面に被写体像を形成する撮像レンズは、固体撮像素子の受光効率を向上させるため、撮像面への光線入射角度を小さく抑える必要がある。比較的薄形の携帯情報端末等に搭載する撮像装置に好適な撮像レンズのように光学全長を短縮したレンズの場合、射出瞳位置が像面に近くなってしまうため、周辺像高に結像する光線の撮像面への入射角度を小さく抑えることが難しくなる。本発明によれば、前記後群のうち最も像側のレンズ（Ｃ）の像側面を有効径内に極値を持たせることで、周辺像高に結像する光線に対し正の屈折力を持つことになるため、撮像面への光線入射角を小さく抑えることができる。
【００１２】
条件式（１）は、遠距離被写体の撮影時に対して、近距離被写体を撮影する際の、前記前群の繰出し量と前記後群の繰出し量の比を規定している。近距離被写体を撮影する際に、前記前群と前記後群が同じ距離だけ移動する、いわゆる全群等量繰出しによるフォーシングを行なうと、周辺像高に結像する光束は、近距離被写体に対するフォーカシング時に、各レンズ内において無限遠方（又は遠距離被写体）に対するフォーカシング時に比べて光軸に近い位置を通過するため、光線通過位置の変化による収差変動が生じやすく、光学性能が劣化する恐れがある。さらに、前記後群のうち最も像側のレンズ（Ｃ）の像側面が有効径内に極値を持つ場合、中心付近から周辺にかけて大きくパワーが変化するため、前記最も像側のレンズ（Ｃ）内を通過する光線通過位置が変動すると、発生する収差変動も大きくなり、光学性能の劣化も大きくなる恐れがある。なお、「遠距離被写体」とは撮像レンズから６０ｃｍを超える距離にある被写体をいい、「近距離被写体」とは、撮像レンズから６０ｃｍ以内にある被写体をいうものとする。
【００１３】
これに対し、条件式（１）の値が下限を上回ることで、前記後群の位置変化量に対し前記前群の位置変化量が大きくなり、近距離被写体に対するフォーカシング時に前記前群と前記後群の間隔が開くため、前記後群の光線通過位置を光軸から離すことができる。従って近距離被写体に対するフォーカシング時の前記後群の光線通過位置を、無限遠方（又は遠距離被写体）に対するフォーカシング時の位置に近付けることになるため、光線通過位置の変化に伴う、収差変動を小さく抑えることができる。一方、条件式（１）の値が上限を下回ることで、前記後群の繰出し量に対し、前記前群の繰出し量が大きくなり過ぎないため、前記後群の光線通過位置が変化し過ぎず、収差変動を抑えて性能が劣化することを防ぐことができる。また、遠距離被写体撮影時と近距離被写体撮影時とで画角が大きく変化してしまうことを防ぐことができる。好ましくは以下の式を満たすことである。
１．０５＜ＭＦ／ＭＲ＜１．６０      （１’）
【００１４】
このように前記前群と前記後群の位置変化量を変えることで、近距離被写体に対するフォーカシング時の光学性能を向上させることは可能になるが、一方で、撮像レンズを大口径化するにつれて、被写体の距離に関わらず収差の補正が困難となりがちである。そこで、前記前群中に正の屈折力を有するレンズ（Ａ）を含めることで、全系の主点位置を物体側に寄せ、光学全長の短縮に有利にしつつ、更に前記前群中に負の屈折力を有するレンズ（Ｂ）を含むことで、前記レンズ（Ａ）で発生する色収差を補正することができる。一般的に球面収差は、レンズを通過する光線高さが高いほど顕著に発生するため、大口径の撮像レンズで顕著に発生する傾向がある。本発明によれば、前記レンズ（Ａ）と前記レンズ（Ｂ）を隣合わせて配置することで、前記レンズ（Ａ）と前記レンズ（Ｂ）を通過する光線高さが近くなるため、レンズ（Ａ）で発生した球面収差をレンズ（Ｂ）で補正しやすくなり、これにより撮像レンズの大口径化に有効である。撮像レンズのＦナンバーは、１．９以下であると好ましいが、それ以上のＦナンバーであっても本発明は有効である。
【００１５】
請求項２に記載の撮像レンズは，請求項１に記載の発明において、前記後群における最も像側のレンズ（Ｃ）は、光軸付近に負の屈折力を持ち、周辺に正の屈折力を持つことを特徴とする。
【００１６】
前記最も像側のレンズ（Ｃ）が、光軸付近に負の屈折力を持ち、周辺に正の屈折力を持つことで、周辺像高に結像する光線に対し正の屈折力を持つことになるため、固体撮像素子の撮像面への光線入射角を小さく抑えることができる。
【００１７】
請求項３に記載の撮像レンズは，請求項１又は２に記載の発明において、前記レンズ（Ａ）の正の屈折力は、前記前群における他のレンズが持つ正の屈折力のうち最大であり、以下の条件式を満足することを特徴とする。
０．６＜ｆｐ／ｆ＜１．２      （２）
但し
ｆｐ：前記前群のレンズ（Ａ）の焦点距離（ｍｍ）
ｆ：前記撮像レンズの遠距離被写体撮影時の焦点距離（ｍｍ）
【００１８】
条件式（２）は、前記レンズ（Ａ）の焦点距離と全系の焦点距離の比を規定している。条件式（２）の値が下限を上回ることで、前記レンズ（Ａ）に強い正の屈折力を持たせることができるため、全系の主点位置を物体側に寄せることができ、光学全長の短縮に有利になる。一方、条件式（２）の値が上限を下回ることで、前記レンズ（Ａ）の屈折力が強くなりすぎず、これにより収差の発生を抑えることができる。
【００１９】
請求項４に記載の撮像レンズは，請求項１〜３のいずれかに記載の発明において、前記レンズ（Ｂ）は、以下の条件式を満足することを特徴とする。
−２．０＜ｆｎ／ｆ＜−０．８      （３）
但し
ｆｎ：前記前群のレンズ（Ｂ）の焦点距離（ｍｍ）
ｆ：前記撮像レンズの遠距離被写体撮影時の焦点距離（ｍｍ）
【００２０】
条件式（３）は，前記レンズ（Ｂ）の焦点距離と全系の焦点距離の比を規定している。前記レンズ（Ｂ）は前記レンズ（Ａ）の像側に配置され、前記レンズ（Ａ）で発生した収差を補正する機能を持つ。条件式（３）の値が下限を上回ることで、前記レンズ（Ｂ）の負の屈折力が強くなりすぎず、収差の過剰補正を防ぐことができる。一方、条件式（３）の値が上限を下回ることで、前記レンズ（Ｂ）に強い負の屈折力を持たせることができ、前記レンズ（Ａ）で発生した収差を適切に補正することができる。
【００２１】
請求項５に記載の撮像レンズは，請求項１〜４のいずれかに記載の発明において、以下の条件式を満足することを特徴とする。
−１．０＜ｆｐ／ｆｎ＜−０．３      （４）
但し
ｆｐ：前記前群のレンズ（Ａ）の焦点距離（ｍｍ）
ｆｎ：前記前群のレンズ（Ｂ）の焦点距離（ｍｍ）
【００２２】
条件式（４）は、前記レンズ（Ａ）と前記レンズ（Ｂ）の焦点距離の比を規定している。条件式（４）の範囲を満たすことで、前記レンズ（Ａ）の屈折力に対し、前記レンズ（Ｂ）の屈折力が適切になり、収差の補正不足や過剰補正を防ぎ、適切に収差を補正することができる。
【００２３】
請求項６に記載の撮像レンズは，請求項１〜５のいずれかに記載の発明において、前記前群において、前記レンズ（Ａ）は最も物体側に配置され、前記レンズ（Ｂ）は、物体側から２番目に配置されていることを特徴とする。
【００２４】
前記レンズ（Ａ）と前記レンズ（Ｂ）を最も物体側に配置することで、全系の主点位置を物体側に寄せることができるため、光学全長の短縮に有利になる。
【００２５】
請求項７に記載の撮像レンズは，請求項１〜６のいずれかに記載の発明において、実質的に屈折力を有しないレンズを有することを特徴とする。つまり、請求項１の構成に、実質的に屈折力を持たないダミーレンズを付与した場合でも本発明の適用範囲内である。
【００２６】
請求項８に記載の撮像装置は、請求項１〜７のいずれかに記載の撮像レンズを備えることを特徴とする。
【発明の効果】
【００２７】
本発明によれば、携帯情報端末等に搭載される撮像装置に好適であり、大口径化した場合でも諸収差が良好に補正され、なおかつ近距離被写体に対するフォーカス時にも諸収差が十分補正された撮像レンズ及びそれを用いた撮像装置を提供することができる。
【図面の簡単な説明】
【００２８】
【図１】本実施の形態にかかる撮像ユニット（撮像装置）５０の斜視図である。
【図２】撮像ユニット５０の撮像レンズの光軸に沿った断面を模式的に示した図である。
【図３】撮像ユニットを適用した携帯端末としてのスマートフォンの正面図（ａ）、及び撮像ユニットを適用したスマートフォンの背面図（ｂ）である。
【図４】図３のスマートフォンの制御ブロック図である。
【図５】実施例１の撮像レンズの光軸方向断面図である。
【図６】比較例１の撮像レンズの光軸方向断面図である。
【図７】実施例１及び比較例１の無限遠方フォーカシング時の収差図（球面収差（ａ）、非点収差（ｂ）、歪曲収差（ｃ）、メリディオナルコマ収差（ｄ）、（ｅ））である。
【図８】実施例１の近距離被写体フォーカシング時の収差図（球面収差（ａ）、非点収差（ｂ）、歪曲収差（ｃ）、メリディオナルコマ収差（ｄ）、（ｅ））である。
【図９】比較例１の近距離被写体フォーカシング時の収差図（球面収差（ａ）、非点収差（ｂ）、歪曲収差（ｃ）、メリディオナルコマ収差（ｄ）、（ｅ））である。
【図１０】実施例２の撮像レンズの光軸方向断面図である。
【図１１】比較例２の撮像レンズの光軸方向断面図である。
【図１２】実施例２及び比較例２の無限遠方フォーカシング時の収差図（球面収差（ａ）、非点収差（ｂ）、歪曲収差（ｃ）、メリディオナルコマ収差（ｄ）、（ｅ））である。
【図１３】実施例２の近距離被写体フォーカシング時の収差図（球面収差（ａ）、非点収差（ｂ）、歪曲収差（ｃ）、メリディオナルコマ収差（ｄ）、（ｅ））である。
【図１４】比較例２の近距離被写体フォーカシング時の収差図（球面収差（ａ）、非点収差（ｂ）、歪曲収差（ｃ）、メリディオナルコマ収差（ｄ）、（ｅ））である。
【図１５】実施例３の撮像レンズの光軸方向断面図である。
【図１６】比較例３の撮像レンズの光軸方向断面図である。
【図１７】実施例３及び比較例３の無限遠方フォーカシング時の収差図（球面収差（ａ）、非点収差（ｂ）、歪曲収差（ｃ）、メリディオナルコマ収差（ｄ）、（ｅ））である。
【図１８】実施例３の近距離被写体フォーカシング時の収差図（球面収差（ａ）、非点収差（ｂ）、歪曲収差（ｃ）、メリディオナルコマ収差（ｄ）、（ｅ））である。
【図１９】比較例３の近距離被写体フォーカシング時の収差図（球面収差（ａ）、非点収差（ｂ）、歪曲収差（ｃ）、メリディオナルコマ収差（ｄ）、（ｅ））である。
【図２０】実施例４の撮像レンズの光軸方向断面図である。
【図２１】比較例４の撮像レンズの光軸方向断面図である。
【図２２】実施例４及び比較例４の無限遠方フォーカシング時の収差図（球面収差（ａ）、非点収差（ｂ）、歪曲収差（ｃ）、メリディオナルコマ収差（ｄ）、（ｅ））である。
【図２３】実施例４の近距離被写体フォーカシング時の収差図（球面収差（ａ）、非点収差（ｂ）、歪曲収差（ｃ）、メリディオナルコマ収差（ｄ）、（ｅ））である。
【図２４】比較例４の近距離被写体フォーカシング時の収差図（球面収差（ａ）、非点収差（ｂ）、歪曲収差（ｃ）、メリディオナルコマ収差（ｄ）、（ｅ））である。
【図２５】実施例５の撮像レンズの光軸方向断面図である。
【図２６】比較例５の撮像レンズの光軸方向断面図である。
【図２７】実施例５及び比較例５の無限遠方フォーカシング時の収差図（球面収差（ａ）、非点収差（ｂ）、歪曲収差（ｃ）、メリディオナルコマ収差（ｄ）、（ｅ））である。
【図２８】実施例５の近距離被写体フォーカシング時の収差図（球面収差（ａ）、非点収差（ｂ）、歪曲収差（ｃ）、メリディオナルコマ収差（ｄ）、（ｅ））である。
【図２９】比較例５の近距離被写体フォーカシング時の収差図（球面収差（ａ）、非点収差（ｂ）、歪曲収差（ｃ）、メリディオナルコマ収差（ｄ）、（ｅ））である。
【発明を実施するための形態】
【００２９】
以下、本発明の実施の形態を図面に基づいて説明する。図１は、本実施の形態にかかる撮像ユニット（撮像装置）５０の斜視図であり、図２は、撮像ユニット５０の撮像レンズの光軸に沿った断面を模式的に示した図である。
【００３０】
図２に示すように、撮像ユニット５０は、光電変換部５１ａを有する固体撮像素子としてのＣＭＯＳ型撮像素子５１と、この撮像素子５１の光電変換部５１ａに被写体像を撮像させる撮像レンズ１０と、撮像レンズ１０を保持する鏡筒５３と、撮像レンズ１０と撮像素子５１の間に配置された平行平板状の光学フィルタ５４と、撮像レンズ１０の前群を駆動する第１アクチュエータ５５と、撮像レンズ１０の後群を駆動する第２アクチュエータ５６と、撮像素子５１を実装した基板５２と、光学フィルタ５４を保持しつつ鏡筒５３と基板５２とを連結する台座部材５７とを有する。
【００３１】
図２に示すように、撮像素子５１は、その受光側の平面の中央部に、画素（光電変換素子）が２次元的に配置された、受光部としての光電変換部５１ａが形成されており、その周囲には信号処理回路（不図示）が形成されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、撮像素子５１の受光側の平面の外縁近傍には、多数のパッド（図示略）が配置されており、不図示のワイヤを介して基板５２に接続されている。撮像素子５１は、光電変換部５１ａからの信号電荷をデジタルＹＵＶ信号等の画像信号等に変換し、ワイヤを介して基板５２上の所定の回路に出力する。ここで、Ｙは輝度信号、Ｕ（＝Ｒ−Ｙ）は赤と輝度信号との色差信号、Ｖ（＝Ｂ−Ｙ)は青と輝度信号との色差信号である。なお、撮像素子は上記ＣＭＯＳ型のイメージセンサに限定されるものではなく、ＣＣＤ等の他のものを使用しても良い。
【００３２】
鏡筒５３の物体側に、小開口（ここでは開口絞り）Ｓが設けられた物体側壁５３ａが形成されている。
【００３３】
鏡筒５３内に配置された撮像レンズ１０は、物体側より順に、正の屈折力を有する第１レンズＬ１（ここではレンズＡ）、負の屈折力を有する第２レンズＬ２（ここではレンズＢ）、第３レンズＬ３、第４レンズＬ４、第５レンズＬ５，像側面が有効径内に極値を持つ第６レンズＬ６（ここではレンズＣ）からなる。前群を構成するレンズＬ１〜Ｌ３は、フランジ部を第１ホルダＨＤ１により保持されており、第１アクチュエータ５５により光軸方向に移動可能とされている。又、後群を構成するレンズＬ４〜Ｌ６は、フランジ部を第２ホルダＨＤ２により保持されており、第２アクチュエータ５６により光軸方向に移動可能とされている。撮像レンズ１０は、遠距離被写体の撮影時に対して、近距離被写体の撮影時に、前群と後群が、以下の条件式を満足するように光軸方向物体側と移動する。
１．００＜ＭＦ／ＭＲ＜１．８０      （１）
但し
ＭＦ：前群の位置変化量（ｍｍ）
ＭＲ：後群の位置変化量（ｍｍ）
【００３４】
上述した撮像ユニット５０の動作について説明する。図３は、撮像ユニット５０を携帯端末としてのスマートフォン１００に装備した状態を示す図である。また、図４はスマートフォン１００の制御ブロック図である。
【００３５】
撮像ユニット５０は、例えば、鏡筒５３の物体側端面がスマートフォン１００の背面（図３（ｂ）参照）に設けられ、タッチパネル７０の裏側に相当する位置に配設される。
【００３６】
撮像ユニット５０は、スマートフォン１００の制御部１０１と接続され、輝度信号や色差信号等の画像信号を制御部１０１側に出力する。
【００３７】
一方、スマートフォン１００は、図４に示すように、各部を統括的に制御すると共に、各処理に応じたプログラムを実行する制御部（ＣＰＵ）１０１と、番号等をキーにより指示入力するための入力部６０と、所定のデータの他に撮像した映像等を表示する液晶表示部７０と、外部サーバとの間の各種情報通信を実現するための無線通信部８０と、スマートフォン１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いは撮像ユニット５０により得られた撮像データ等を一時的に格納する作業領域として用いられる及び一時記憶部（ＲＡＭ）９２とを備えている。
【００３８】
スマートフォン１００は、入力キー部６０の操作によって動作し、タッチパネル（表示部）７０に表示されたアイコン７１等をタッチすることで、撮像ユニット５０を動作させて撮像を行うことができる。このとき、アクチュエータ５５、５６を駆動することで、無限遠方から近距離被写体までフォーカシングを行うことができる。撮像ユニット５０から入力された画像信号は、制御部１０１で後述する画像処理を施され、上記スマートフォン１００の制御系により、記憶部９２に記憶されたり、或いはタッチパネル７０で表示され、さらには、無線通信部８０を介して映像情報として外部に送信される。
【００３９】
（実施例）
次に、上述した実施の形態に好適な実施例について説明する。但し、以下に示す実施例により本発明が限定されるものではない。実施例における各符号の意味は以下の通りである（長さの単位は、波長以外ｍｍ）。
ＦＬ：撮像レンズ全系の焦点距離（ｍｍ）
Ｆｎｏ：Ｆナンバー
ｗ  ：半画角（゜）
Ｙｍａｘ：固体撮像素子の撮像面対角線長の半分の長さ（最大像高：ｍｍ）
ＢＦ：バックフォーカス（ｍｍ）（撮像レンズ全系の最も物体側のレンズ面から像面までの光軸上の距離）
ＴＬ：光学全長（ｍｍ）
ＢＦａ：バックフォーカス（ｍｍ）（撮像レンズ全系の最も物体側のレンズ面から像面までの距離。但し、カバーガラスを空気換算長とした場合の近軸像面までの光軸上の距離）
ＴＬａ：光学全長（ｍｍ）（撮像レンズ全系の最も物体側のレンズ面から像面までの光軸上の距離。但し、カバーガラスを空気換算長とした場合の近軸像面までの光軸上の距離）
ｒ  ：屈折面の曲率半径（ｍｍ）
ｄ  ：軸上面間隔（ｍｍ）
ｎｄ：レンズ材料のｄ線の常温での屈折率
ｖｄ：レンズ材料のアッベ数
ＳＴＯ：開口絞り
【００４０】
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。
【００４１】
【数１】
2015114505.tif 000003
ただし、
Ａｉ：ｉ次の非球面係数
Ｒ  ：曲率半径
Ｋ  ：円錐定数
である。
【００４２】
また、以降（表のレンズデータを含む）において、１０のべき乗数（例えば、２．５×１０-02）を、Ｅ（例えば２．５ｅ−００２）を用いて表すものとする。また、レンズデータの面番号は第１レンズの物体側を１面として順に付与した。なお、実施例に記載の長さを表す数値の単位はすべてｍｍとする。
【００４３】
なお、請求項ならびに実施例に記載の近軸曲率半径の意味合いについて、実際のレンズ測定の場面においては、レンズ中央近傍(具体的には、レンズ有効径に対して10%以内の中央領域)での形状測定値を最小自乗法でフィッティングした際の近似曲率半径を近軸曲率半径であるとみなすことができる。また、例えば2次の非球面係数を使用した場合には、非球面定義式の基準曲率半径に2次の非球面係数も勘案した曲率半径を近軸曲率半径とみなすことができる。（例えば参考文献として、松居吉哉著「レンズ設計法」(共立出版株式会社)のP41〜42を参照のこと）
【００４４】
（実施例１と比較例１）
実施例１及び比較例１におけるレンズデータを表１に示す。図５は実施例１のレンズの断面図であり、図６は、比較例１のレンズの断面図である。実施例１及び比較例１とは、レンズ形状は共通であり、無限遠方にフォーカシングした際のレンズ位置も共通である。但し、近距離被写体にフォーカシングした際に、実施例１は前群と後群の繰り出し量が異なり、比較例１は全群の繰り出し量が等しくなっている。図５、６において、実線は近距離被写体（撮像レンズから１０ｃｍ）フォーカシング時のレンズ位置と撮像面位置と光路を示し、一点鎖線は無限遠方フォーカシング時のレンズ位置と撮像面位置と光路を示している。なお、比較しやすいように、図５，６においては、撮像レンズ側（図５ではレンズＬ４〜Ｌ６）を固定し、相対的に撮像面が移動したものとして示している。
【００４５】
実施例１及び比較例１の撮像レンズは、物体側から順に、開口絞りＳ，正の屈折力を有する第１レンズＬ１（レンズＡ）、負の屈折力を有する第２レンズＬ２（レンズＢ）、第３レンズＬ３、第４レンズＬ４，第５レンズＬ５，像側面が有効径内に極値を持つ第６レンズＬ６（レンズＣ）からなる。第１レンズＬ１の正の屈折力は、前群中、最も強いものであり、第６レンズＬ６は、光軸付近に負の屈折力を持ち、周辺に正の屈折力を持つ。Ｆはカバーガラス又はＩＲカットフィルタを想定した平行平板であり、Ｉは固体撮像素子の撮像面である。実施例１では、レンズＬ１〜Ｌ３が前群を構成し、レンズＬ４〜Ｌ６が後群を構成する。
【００４６】
［表1］
［実施例1］
Reference Wave Length = 587.56 nm
面データ
面番号       r           d       nd      vd       有効径
STO     INFINITY      0.0500                     2.700
2*      2.0164      0.7001   1.54470  56.2     2.625
3*     -9.8401      0.0681                     2.489
4*      1.9159      0.1548   1.63469  23.9     2.263
5*      1.1239      0.4595                     2.046
6     INFINITY      0.2000                     2.002
7*    -20.2537      0.4142   1.54470  56.2     2.203
8*     -6.3415    VARIABLE                     2.532
9*      2.4936      0.2000   1.63469  23.9     3.088
10*      1.9276      0.3004                     3.406
11*      7.8447      0.9846   1.54470  56.2     3.597
12*     -1.3875      0.3194                     3.847
13*      7.4959      0.3225   1.54470  56.2     5.062
14*      1.0490      0.7000                     5.336
15     INFINITY      0.1100   1.51633  64.1     6.000
16     INFINITY    VARIABLE                     6.000
非球面係数
2:K=5.34931e-001,A4=-1.69769e-003,A6=1.63552e-003,A8=-1.19855e-002,A10=1.49150e-002,A12=-8.23861e-003,A14=1.86134e-003
3:K=-7.50627e+001,A4=9.15739e-002,A6=-1.12007e-001,A8=1.14533e-001,A10=-7.65568e-002,A12=2.95866e-002,A14=-4.87500e-003
4:K=-1.59992e+001,A4=1.39545e-002,A6=-3.81141e-002,A8=5.61809e-002,A10=-4.79593e-002,A12=1.90519e-002,A14=-3.54001e-003
5:K=-4.86945e+000,A3=-1.12825e-002,A4=1.09747e-002,A5=2.78450e-002,A6=4.62375e-002,A8=-1.16515e-001,A10=1.49399e-001,A12=-1.01912e-001,A14=2.83205e-002
7:K=-4.82385e+001,A3=-1.07910e-002,A4=4.07725e-002,A5=-1.40323e-001,A6=1.33801e-001,A8=-1.67791e-001,A10=1.83451e-001,A12=-1.11716e-001,A14=2.51870e-002
8:K=-8.00000e+001,A3=-2.10832e-002,A4=-6.64680e-002,A5=9.42365e-002,A6=-1.18450e-001,A8=3.68282e-002,A10=-8.95217e-004,A12=-5.41019e-003
9:K=1.32838e-001,A3=-1.75807e-002,A4=-3.09421e-001,A5=3.68096e-001,A6=-2.67632e-001,A8=9.92310e-002,A10=-2.69240e-002,A12=2.68515e-003
10:K=5.46443e-002,A3=-2.69423e-002,A4=-2.49595e-001,A5=1.56177e-001,A6=-5.38703e-002,A8=1.57095e-003,A10=6.10817e-003,A12=-2.46515e-003,A14=2.16168e-004
11:K=-5.85358e+001,A3=-2.30635e-002,A4=8.25686e-002,A5=-1.48628e-001,A6=9.27047e-002,A8=-3.86835e-002,A10=1.64803e-002,A12=-3.56651e-003,A14=3.08117e-004
12:K=-8.00463e+000,A3=-6.22701e-002,A4=-8.42285e-002,A5=8.55637e-002,A6=-1.52955e-002,A8=-1.44000e-002,A10=7.06880e-003,A12=-1.15541e-003,A14=5.92561e-005
13:K=5.78031e+000,A3=-1.64712e-001,A4=-9.25534e-002,A5=4.02699e-002,A6=2.35776e-002,A8=-2.78645e-003,A10=-3.66823e-004,A12=8.01289e-005,A14=-4.00882e-006
14:K=-5.94778e+000,A3=-3.08084e-002,A4=-1.18894e-001,A5=9.88842e-002,A6=-2.71705e-002,A8=9.54064e-004,A10=-1.17795e-004,A12=2.49313e-005,A14=-1.55834e-006
FL   3.784
Fno   1.44
w     75.43
Ymax  2.921
BF    0.909
TL    5.183
BFa   0.872
TLa   5.145
合焦距離   INF       10cm       10cm全群繰出し(比較例)
d8       0.1000     0.1451     0.1000
d16       0.0992     0.2196     0.2459
Elem   Surfs   Focal Length    Diameter
1     2- 3      3.1376        2.625
2     4- 5     -4.6355        2.263
3     7- 8     16.7730        2.532
4     9-10    -15.5096        3.406
5    11-12      2.2490        3.847
6    13-14     -2.2794        5.336
【００４７】
図７は実施例１及び比較例１の無限遠方フォーカシング時の収差図（球面収差（ａ）、非点収差（ｂ）、歪曲収差（ｃ）、メリディオナルコマ収差（ｄ），（ｅ））である。図８は実施例１の近距離被写体フォーカシング時の収差図（球面収差（ａ）、非点収差（ｂ）、歪曲収差（ｃ）、メリディオナルコマ収差（ｄ），（ｅ））である。図９は比較例１の近距離被写体フォーカシング時の収差図（球面収差（ａ）、非点収差（ｂ）、歪曲収差（ｃ）、メリディオナルコマ収差（ｄ），（ｅ））である。ここで、球面収差図及びメリディオナルコマ収差図において、実線はｄ線、点線はｇ線に対する球面収差量をそれぞれ表し、非点収差図において、実線Ｓはサジタル面、点線Ｍはメリディオナル面を表す（以下、同じ）。
【００４８】
図５，６を比較すると、全群等量繰出しの比較例１に対して、後群より前群の繰り出し量を大きくした実施例１では、無限遠方フォーカシング時の光路（実線）に対して、近距離被写体フォーカシング時の光路（一点鎖線）の光軸直交方向変動量が少ない。よって、各レンズの光線入射位置の変動が、被写体距離にかかわらず抑制される。これにより、図８，９を比較すると明らかなように、収差変動を抑制できる。
【００４９】
（実施例２と比較例２）
実施例２及び比較例２におけるレンズデータを表２に示す。図１０は実施例２のレンズの断面図であり、図１１は、比較例２のレンズの断面図である。実施例２及び比較例２とは、レンズ形状は共通であり、無限遠方にフォーカシングした際のレンズ位置も共通である。但し、近距離被写体にフォーカシングした際に、実施例２は前群と後群の繰り出し量が異なり、比較例２は全群の繰り出し量が等しくなっている。図１０、１１において、実線は近距離被写体（撮像レンズから１０ｃｍ）フォーカシング時のレンズ位置と撮像面位置と光路を示し、一点鎖線は無限遠方フォーカシング時のレンズ位置と撮像面位置と光路を示している。なお、比較しやすいように、図１０，１１においては、撮像レンズ側（図１０ではレンズＬ５〜Ｌ６）を固定し、相対的に撮像面が移動したものとして示している。
【００５０】
実施例２及び比較例２の撮像レンズは、物体側から順に、開口絞りＳ，正の屈折力を有する第１レンズＬ１（レンズＡ）、負の屈折力を有する第２レンズＬ２（レンズＢ）、第３レンズＬ３、第４レンズＬ４，第５レンズＬ５，像側面が有効径内に極値を持つ第６レンズＬ６（レンズＣ）からなる。第１レンズＬ１の正の屈折力は、前群中、最も強いものであり、第６レンズＬ６は、光軸付近に負の屈折力を持ち、周辺に正の屈折力を持つ。Ｆはカバーガラス又はＩＲカットフィルタを想定した平行平板であり、Ｉは固体撮像素子の撮像面である。実施例２では、レンズＬ１〜Ｌ４が前群を構成し、レンズＬ５〜Ｌ６が後群を構成する。
【００５１】
［表２］
[実施例2］
面データ
面番号       r           d       nd      vd       有効径
STO     INFINITY      0.0500                     2.625
2*      2.0091      0.6952   1.54470  56.2     2.640
3*    -10.4799      0.0740                     2.512
4*      1.9937      0.1542   1.63469  23.9     2.291
5*      1.1620      0.4005                     2.074
6     INFINITY      0.1400                     2.129
7*   4208.7895      0.4097   1.54470  56.2     2.244
8*    -56.7294      0.1000                     2.490
9*      2.5035      0.2000   1.63469  23.9     2.625
10*      2.3858    VARIABLE                     2.943
11*     12.6375      0.9737   1.54470  56.2     3.367
12*     -1.3092      0.3286                     3.814
13*      8.3099      0.3223   1.54470  56.2     5.126
14*      1.0423      0.7000                     5.375
15     INFINITY      0.1100   1.51633  64.1     5.763
16     INFINITY    VARIABLE                     5.810
非球面係数
2:K=1.57279e-001,A4=3.94752e-003,A6=2.83183e-003,A8=-9.37735e-003,A10=1.29937e-002,A12=-7.46045e-003,A14=1.83372e-003
3:K=-5.50362e+001,A4=9.45062e-002,A6=-1.13062e-001,A8=1.15232e-001,A10=-7.80785e-002,A12=3.06439e-002,A14=-5.06147e-003
4:K=-1.69116e+001,A4=1.64439e-002,A6=-3.75357e-002,A8=5.35850e-002,A10=-4.41587e-002,A12=1.82114e-002,A14=-3.54001e-003
5:K=-5.56093e+000,A3=6.26744e-004,A4=2.34287e-002,A5=1.53577e-002,A6=3.01794e-002,A8=-1.01448e-001,A10=1.55943e-001,A12=-1.15852e-001,A14=3.41357e-002
7:K=8.00000e+001,A3=-1.63174e-002,A4=6.28962e-002,A5=-1.50417e-001,A6=1.34480e-001,A8=-1.60432e-001,A10=1.78874e-001,A12=-1.14292e-001,A14=2.61146e-002
8:K=8.00000e+001,A3=-8.56030e-002,A4=-1.93295e-002,A5=8.80337e-002,A6=-1.29806e-001,A8=2.75352e-002,A10=3.20224e-003,A12=-6.07380e-003
9:K=-3.39979e+000,A3=-7.07642e-002,A4=-3.45283e-001,A5=3.77120e-001,A6=-2.87979e-001,A8=8.54697e-002,A10=-2.20272e-002,A12=5.44002e-003
10:K=1.26619e+000,A3=-3.55406e-002,A4=-2.77981e-001,A5=1.26735e-001,A6=-5.06670e-002,A8=3.83498e-003,A10=4.81753e-003,A12=-2.53396e-003,A14=2.04537e-004
11:K=-8.00000e+001,A3=-1.80134e-002,A4=5.24632e-002,A5=-1.07760e-001,A6=7.59798e-002,A8=-4.05601e-002,A10=1.80609e-002,A12=-4.19070e-003,A14=3.13615e-004
12:K=-7.51540e+000,A3=-7.10944e-002,A4=-8.92430e-002,A5=9.31586e-002,A6=-1.36116e-002,A8=-1.59368e-002,A10=7.09451e-003,A12=-1.07278e-003,A14=3.14152e-005
13:K=7.73185e+000,A3=-1.55686e-001,A4=-9.05406e-002,A5=3.86140e-002,A6=2.28519e-002,A8=-2.77300e-003,A10=-3.55190e-004,A12=8.08088e-005,A14=-4.15519e-006
14:K=-6.01675e+000,A3=-1.64177e-002,A4=-1.32244e-001,A5=1.01778e-001,A6=-2.65959e-002,A8=8.39264e-004,A10=-1.30386e-004,A12=2.55692e-005,A14=-1.40288e-006
FL    3.778
Fno   1.44
w     75.42
Ymax  2.921
BF    0.914
TL    5.172
BFa   0.877
TLa   5.135
合焦距離   INF       10cm       10cm全群繰出し(比較例)
d10       0.4099     0.4514     0.4099
d16       0.1043     0.2386     0.2495
Elem   Surfs   Focal Length    Diameter
1     2- 3      3.1570        2.640
2     4- 5     -4.7290        2.291
3     7- 8    102.7664        2.490
4     9-10   -234.7668        2.943
5    11-12      2.2329        3.814
6    13-14     -2.2227        5.375
【００５２】
図１２は実施例２及び比較例２の無限遠方フォーカシング時の収差図（球面収差（ａ）、非点収差（ｂ）、歪曲収差（ｃ）、メリディオナルコマ収差（ｄ），（ｅ））である。図１３は実施例２の近距離被写体フォーカシング時の収差図（球面収差（ａ）、非点収差（ｂ）、歪曲収差（ｃ）、メリディオナルコマ収差（ｄ），（ｅ））である。図１４は比較例２の近距離被写体フォーカシング時の収差図（球面収差（ａ）、非点収差（ｂ）、歪曲収差（ｃ）、メリディオナルコマ収差（ｄ），（ｅ））である。
【００５３】
図１０，１１を比較すると、全群等量繰出しの比較例２に対して、後群より前群の繰り出し量を大きくした実施例２では、無限遠方フォーカシング時の光路（実線）に対して、近距離被写体フォーカシング時の光路（一点鎖線）の光軸直交方向変動量が少ない。よって、各レンズの光線入射位置の変動が、被写体距離にかかわらず抑制される。これにより、図１３，１４を比較すると明らかなように、収差変動を抑制できる。
【００５４】
（実施例３と比較例３）
実施例３及び比較例３におけるレンズデータを表３に示す。図１５は実施例３のレンズの断面図であり、図１６は、比較例３のレンズの断面図である。実施例３及び比較例３とは、レンズ形状は共通であり、無限遠方にフォーカシングした際のレンズ位置も共通である。但し、近距離被写体にフォーカシングした際に、実施例３は前群と後群の繰り出し量が異なり、比較例３は全群の繰り出し量が等しくなっている。図１５、１６において、実線は近距離被写体（撮像レンズから１０ｃｍ）フォーカシング時のレンズ位置と撮像面位置と光路を示し、一点鎖線は無限遠方フォーカシング時のレンズ位置と撮像面位置と光路を示している。なお、比較しやすいように、図１５，１６においては、撮像レンズ側（図１５ではレンズＬ４〜Ｌ５）を固定し、相対的に撮像面が移動したものとして示している。
【００５５】
実施例３及び比較例３の撮像レンズは、物体側から順に、開口絞りＳ，正の屈折力を有する第１レンズＬ１（レンズＡ）、負の屈折力を有する第２レンズＬ２（レンズＢ）、第３レンズＬ３、第４レンズＬ４，像側面が有効径内に極値を持つ第５レンズＬ５（レンズＣ）からなる。第１レンズＬ１の正の屈折力は、前群中、最も強いものであり、第５レンズＬ５は、光軸付近に負の屈折力を持ち、周辺に正の屈折力を持つ。Ｆはカバーガラス又はＩＲカットフィルタを想定した平行平板であり、Ｉは固体撮像素子の撮像面である。実施例３では、レンズＬ１〜Ｌ３が前群を構成し、レンズＬ４〜Ｌ５が後群を構成する。
【００５６】
［表３］
［実施例3］
面データ
面番号       r           d       nd      vd       有効径
STO     INFINITY      0.0500                     1.966
2     INFINITY     -0.3683                     1.966
3*      1.5591      0.5338   1.54470  56.2     1.968
4*     33.4902      0.0778                     1.862
5*      4.6119      0.1700   1.63469  23.9     1.864
6*      1.8613      0.4656                     1.857
7*      8.9390      0.4826   1.54470  56.2     2.185
8*    INFINITY    VARIABLE                     2.448
9*    -17.0704      0.7113   1.54470  56.2     2.765
10*     -1.2674      0.4855                     3.361
11*     -1.4052      0.3142   1.54470  56.2     4.761
12*      3.6294      0.4090                     5.008
13     INFINITY      0.1100   1.51633  64.1     5.653
14     INFINITY    VARIABLE                     5.706
非球面係数
3:K=9.16290e-002,A4=2.03102e-003,A6=1.96915e-002,A8=-3.07399e-002,A10=2.63591e-000
4:K=-1.00000e+000,A4=-6.23278e-002,A6=2.39862e-001,A8=-3.66397e-001,A10=3.20886e-001,A12=-1.18037e-001
5:K=1.00000e+000,A4=-2.46567e-001,A6=5.69834e-001,A8=-7.16893e-001,A10=5.32203e-001,A12=-1.92818e-001
6:K=-2.27497e+001,A4=1.99084e-001,A6=-3.16574e-001,A8=6.64830e-001,A10=-6.33466e-001,A12=2.48060e-001
7:K=8.66996e+000,A4=-7.91911e-002,A6=-7.64850e-002,A8=2.73329e-001,A10=-4.46972e-001,A12=3.43230e-001,A14=-9.00657e-002
8:K=0.00000e+000,A4=-9.58045e-002,A6=5.96433e-002,A8=-1.34169e-001,A10=1.45786e-001,A12=-9.36522e-002,A14=2.77093e-002
9:K=1.00000e+000,A4=-8.88838e-002,A6=4.32356e-002,A8=-3.56913e-002,A10=1.35533e-002,A12=-4.27958e-003,
10:K=-3.09525e+000,A3=3.51468e-002,A4=-1.11481e-001,A5=1.44454e-002,A6=2.95663e-002,A8=2.84472e-003,A10=-2.85087e-003,A12=-1.56050e-005,A14=8.26462e-005
11:K=-1.03625e+000,A3=5.10144e-002,A4=7.28045e-003,A5=2.58949e-003,A6=2.03721e-003,A8=-2.00746e-004,A10=-2.56243e-005,A12=3.09141e-006,A14=1.52126e-008
12:K=-4.00000e+001,A3=3.23445e-003,A4=-2.08383e-002,A5=-1.42851e-003,A6=3.01963e-003,A8=-6.14877e-004,A10=-4.68535e-006,A12=4.94715e-006,A14=2.73261e-007
FL   3.719
Fno1.85
w     75.78
Ymax  2.921
BF    0.740
TL    4.500
BFa   0.703
TLa   4.462
合焦距離   INF       10cm       10cm全群繰出し(比較例)
d8       0.5190     0.5504     0.5190
d14       0.2210     0.3390     0.3640
Elem   Surfs   Focal Length    Diameter
1     3- 4      2.9844        1.968
2     5- 6     -5.0380        1.864
3     7- 8     16.4109        2.448
4     9-10      2.4741        3.361
5    11-12     -1.8197        5.008
【００５７】
図１７は実施例３及び比較例３の無限遠方フォーカシング時の収差図（球面収差（ａ）、非点収差（ｂ）、歪曲収差（ｃ）、メリディオナルコマ収差（ｄ），（ｅ））である。図１８は実施例３の近距離被写体フォーカシング時の収差図（球面収差（ａ）、非点収差（ｂ）、歪曲収差（ｃ）、メリディオナルコマ収差（ｄ），（ｅ））である。図１９は比較例３の近距離被写体フォーカシング時の収差図（球面収差（ａ）、非点収差（ｂ）、歪曲収差（ｃ）、メリディオナルコマ収差（ｄ），（ｅ））である。
【００５８】
図１５，１６を比較すると、全群等量繰出しの比較例３に対して、後群より前群の繰り出し量を大きくした実施例３では、無限遠方フォーカシング時の光路（実線）に対して、近距離被写体フォーカシング時の光路（一点鎖線）の光軸直交方向変動量が少ない。よって、各レンズの光線入射位置の変動が、被写体距離にかかわらず抑制される。これにより、図１８，１９を比較すると明らかなように、収差変動を抑制できる。
【００５９】
（実施例４と比較例４）
実施例４及び比較例４におけるレンズデータを表４に示す。図２０は実施例４のレンズの断面図であり、図２１は、比較例４のレンズの断面図である。実施例４及び比較例４とは、レンズ形状は共通であり、無限遠方にフォーカシングした際のレンズ位置も共通である。但し、近距離被写体にフォーカシングした際に、実施例４は前群と後群の繰り出し量が異なり、比較例４は全群の繰り出し量が等しくなっている。図２０、２１において、実線は近距離被写体（撮像レンズから１０ｃｍ）フォーカシング時のレンズ位置と撮像面位置と光路を示し、一点鎖線は無限遠方フォーカシング時のレンズ位置と撮像面位置と光路を示している。なお、比較しやすいように、図２０，２１においては、撮像レンズ側（図２０ではレンズＬ４〜Ｌ７）を固定し、相対的に撮像面が移動したものとして示している。
【００６０】
実施例４及び比較例４の撮像レンズは、物体側から順に、開口絞りＳ，正の屈折力を有する第１レンズＬ１（レンズＡ）、負の屈折力を有する第２レンズＬ２（レンズＢ）、第３レンズＬ３、第４レンズＬ４，第５レンズＬ５，第６レンズＬ６，像側面が有効径内に極値を持つ第７レンズＬ７（レンズＣ）からなる。第１レンズＬ１の正の屈折力は、前群中、最も強いものであり、第７レンズＬ７は、光軸付近に負の屈折力を持ち、周辺に正の屈折力を持つ。Ｆはカバーガラス又はＩＲカットフィルタを想定した平行平板であり、Ｉは固体撮像素子の撮像面である。実施例４では、レンズＬ１〜Ｌ３が前群を構成し、レンズＬ４〜Ｌ７が後群を構成する。
【００６１】
［表４］
［実施例4］
面データ
面番号       r           d       nd      vd       有効径
STO     INFINITY     -0.2468                     3.137
2*      2.5005      0.8252   1.54470  56.2     3.137
3*    -10.5043      0.0718                     2.988
4*      2.6081      0.2266   1.63469  23.9     2.737
5*      1.4393      0.5242                     2.453
6     INFINITY      0.2000                     2.400
7*     23.9779      0.4466   1.54470  56.2     2.632
8*      7.8472    VARIABLE                     3.002
9*      3.2992      0.5111   1.54470  56       3.333
10*      7.5547      0.2288                     3.635
11*     10.3299      0.2138   1.63469  23.9     3.873
12*      4.9745      0.2789                     4.120
13*      5.5829      0.8481   1.54470  56.2     4.741
14*     -1.5801      0.4134                     5.020
15*   -836.4626      0.2500   1.54470  56.2     5.810
16*      1.3124      0.5000                     6.427
17     INFINITY      0.1100   1.51633  64.1     6.871
18     INFINITY    VARIABLE                     6.906
非球面係数
2:K=-8.58477e-001,A4=1.03455e-002,A6=1.30099e-003,A8=-1.42416e-003,A10=1.44662e-003,A12=-5.38962e-004,A14=8.43901e-005
3:K=-2.78060e+001,A4=5.39696e-002,A6=-4.34311e-002,A8=2.93926e-002,A10=-1.32923e-002,A12=3.38565e-003,A14=-3.54697e-004
4:K=-1.78152e+001,A4=1.12075e-002,A6=-1.45352e-002,A8=1.38363e-002,A10=-8.31398e-003,A12=2.47222e-003,A14=-2.69677e-004
5:K=-5.50379e+000,A3=6.89480e-003,A4=6.89728e-003,A5=8.71157e-003,A6=1.76812e-002,A8=-3.27725e-002,A10=2.87104e-002,A12=-1.28716e-002,A14=2.37434e-003
7:K=-8.00000e+001,A3=-8.41064e-003,A4=8.77150e-003,A5=-8.63565e-002,A6=8.73777e-002,A8=-5.06460e-002,A10=2.24718e-002,A12=-5.61849e-003,A14=1.30266e-004
8:K=6.45596e+000,A3=-2.79513e-002,A4=-9.44470e-002,A5=1.61763e-003,A6=2.29949e-002,A8=-1.03711e-002,A10=1.18597e-003,A12=7.46164e-004,A14=-3.05680e-004
9:K=4.93077e-001,A3=-4.30472e-002,A4=-8.12464e-002,A5=3.87714e-003,A6=-5.61064e-003,A8=5.94585e-004,A10=1.11085e-003,A12=1.53276e-004,A14=-9.17525e-005
10:K=5.73009e+000,A3=-4.20274e-002,A4=-2.87745e-002,A5=2.26675e-002,A6=-4.77060e-002,A8=1.42891e-002,A10=-2.19953e-003,A12=1.49437e-004
11:K=1.83030e+001,A3=-3.41979e-002,A4=-1.86978e-001,A5=1.62864e-001,A6=-9.99240e-002,A8=2.52099e-002,A10=-3.20768e-003,A12=1.09667e-004
12:K=-1.22428e+001,A3=-2.82690e-002,A4=-1.46417e-001,A5=7.21508e-002,A6=-1.80970e-002,A8=1.49407e-003,A10=1.07675e-003,A12=-2.46954e-004,A14=1.19441e-005
13:K=-9.05324e+000,A3=-7.57649e-003,A4=6.71306e-003,A5=-5.41252e-002,A6=4.40156e-002,A8=-1.17892e-002,A10=2.49719e-003,A12=-3.02804e-004,A14=1.58749e-005
14:K=-8.67402e+000,A3=-4.68660e-002,A4=-3.51226e-002,A5=4.50630e-002,A6=-2.89400e-003,A8=-4.45024e-003,A10=1.08800e-003,A12=-1.25626e-004,A14=5.87838e-006
15:K=8.00000e+001,A3=-8.52558e-002,A4=-5.10832e-002,A5=1.76136e-002,A6=8.35488e-003,A8=-7.35427e-004,A10=-5.72577e-005,A12=9.52801e-006,A14=-3.35765e-007
16:K=-6.86618e+000,A3=-2.59968e-003,A4=-8.41405e-002,A5=5.06798e-002,A6=-1.06962e-002,A8=3.36219e-004,A10=-3.93849e-005,A12=2.90683e-006,A14=-6.28292e-008
FL    4.589
Fno   1.43
w     75.43
Ymax  3.564
BF    1.071
TL    6.247
BFa   1.034
TLa   6.209
合焦距離   INF       10cm       10cm全群繰出し(比較例)
d8       0.1370     0.1480     0.1370
d18       0.4625     0.6767     0.6844
Elem   Surfs   Focal Length    Diameter
1     2- 3      3.7928        3.137
2     4- 5     -5.4719        2.737
3     7- 8    -21.6261        3.002
4     9-10     10.3157        3.635
5    11-12    -15.3560        4.120
6    13-14      2.3595        5.020
7    15-16     -2.4054        6.427
【００６２】
図２２は実施例４及び比較例４の無限遠方フォーカシング時の収差図（球面収差（ａ）、非点収差（ｂ）、歪曲収差（ｃ）、メリディオナルコマ収差（ｄ），（ｅ））である。図２３は実施例４の近距離被写体フォーカシング時の収差図（球面収差（ａ）、非点収差（ｂ）、歪曲収差（ｃ）、メリディオナルコマ収差（ｄ），（ｅ））である。図２４は比較例４の近距離被写体フォーカシング時の収差図（球面収差（ａ）、非点収差（ｂ）、歪曲収差（ｃ）、メリディオナルコマ収差（ｄ），（ｅ））である。
【００６３】
図２０，２１を比較すると、全群等量繰出しの比較例４に対して、後群より前群の繰り出し量を大きくした実施例４では、無限遠方フォーカシング時の光路（実線）に対して、近距離被写体フォーカシング時の光路（一点鎖線）の光軸直交方向変動量が少ない。よって、各レンズの光線入射位置の変動が、被写体距離にかかわらず抑制される。これにより、図２３，２４を比較すると明らかなように、収差変動を抑制できる。
【００６４】
（実施例５と比較例５）
実施例５及び比較例５におけるレンズデータを表５に示す。図２５は実施例５のレンズの断面図であり、図２６は、比較例５のレンズの断面図である。実施例５及び比較例５とは、レンズ形状は共通であり、無限遠方にフォーカシングした際のレンズ位置も共通である。但し、近距離被写体にフォーカシングした際に、実施例５は前群と後群の繰り出し量が異なり、比較例５は全群の繰り出し量が等しくなっている。図２５、２６において、実線は近距離被写体（撮像レンズから１０ｃｍ）フォーカシング時のレンズ位置と撮像面位置と光路を示し、一点鎖線は無限遠方フォーカシング時のレンズ位置と撮像面位置と光路を示している。なお、比較しやすいように、図２０，２１においては、撮像レンズ側（図２５ではレンズＬ６〜Ｌ７）を固定し、相対的に撮像面が移動したものとして示している。
【００６５】
実施例５及び比較例５の撮像レンズは、物体側から順に、開口絞りＳ，正の屈折力を有する第１レンズＬ１（レンズＡ）、負の屈折力を有する第２レンズＬ２（レンズＢ）、第３レンズＬ３、第４レンズＬ４，第５レンズＬ５，第６レンズＬ６，像側面が有効径内に極値を持つ第７レンズＬ７（レンズＣ）からなる。第１レンズＬ１の正の屈折力は、前群中、最も強いものであり、第７レンズＬ７は、光軸付近に負の屈折力を持ち、周辺に正の屈折力を持つ。Ｆはカバーガラス又はＩＲカットフィルタを想定した平行平板であり、Ｉは固体撮像素子の撮像面である。実施例５では、レンズＬ１〜Ｌ５が前群を構成し、レンズＬ６〜Ｌ７が後群を構成する。
【００６６】
［表５］
［実施例5］
面データ
面番号       r           d       nd      vd       有効径
STO     INFINITY     -6e-014                     3.145
2*      2.3584      0.8775   1.54470  56.2     3.145
3*     -8.7068      0.0795                     2.984
4*      3.2329      0.1902   1.63469  23.9     2.746
5*      1.5687      0.3795                     2.472
6     INFINITY      0.2348                     2.470
7*     15.8127      0.4320   1.54470  56.2     2.758
8*      5.1333      0.0507                     2.985
9*      3.4454      0.2865   1.54470  56       3.143
10*     11.5711      0.1000                     3.327
11*      4.6112      0.2000   1.63469  23.9     3.374
12*      5.2562    VARIABLE                     3.655
13*    -51.6053      0.9109   1.54470  56.2     3.823
14*     -2.0064      0.7278                     4.397
15*     -4.3137      0.2500   1.54470  56.2     5.630
16*      2.4134      0.5000                     6.380
17     INFINITY      0.1100   1.51633  64.1     7.031
18     INFINITY    VARIABLE                     7.072
非球面係数
2:K=-8.61315e-001,A4=1.02536e-002,A6=9.54919e-004,A8=-1.24245e-003,A10=1.47468e-003,A12=-6.08125e-004,A14=9.94100e-005
3:K=-8.00000e+001,A4=5.21648e-002,A6=-4.63698e-002,A8=3.11854e-002,A10=-1.32148e-002,A12=3.08132e-003,A14=-2.91252e-004
4:K=-3.81042e+001,A4=1.28097e-002,A6=-1.49742e-002,A8=1.59088e-002,A10=-8.71021e-003,A12=2.38371e-003,A14=-2.73296e-004
5:K=-7.42846e+000,A3=9.90410e-003,A4=-6.53069e-004,A5=1.24090e-002,A6=2.36058e-002,A8=-3.47183e-002,A10=2.81168e-002,A12=-1.18281e-002,A14=2.12695e-003
7:K=5.15208e+001,A3=-1.72409e-002,A4=2.55000e-002,A5=-9.08703e-002,A6=8.29896e-002,A8=-4.56691e-002,A10=2.20733e-002,A12=-6.91010e-003,A14=7.67117e-004
8:K=7.75683e+000,A3=-5.61277e-002,A4=-8.72367e-002,A5=-5.80313e-003,A6=1.89488e-002,A8=-1.12208e-002,A10=1.51008e-003,A12=1.05088e-003,A14=-4.46082e-004
9:K=1.62623e-001,A3=-5.04031e-002,A4=-7.07126e-002,A5=8.37182e-003,A6=-1.19683e-002,A8=-1.70341e-003,A10=1.37591e-003,A12=3.27545e-004,A14=-7.54779e-005
10:K=3.99231e+001,A3=-4.67223e-002,A4=-6.90028e-003,A5=2.20342e-002,A6=-4.40329e-002,A8=1.55571e-002,A10=-2.75737e-003,A12=-2.08057e-004
11:K=4.96873e+000,A3=-1.63028e-002,A4=-1.97867e-001,A5=1.70761e-001,A6=-9.66890e-002,A8=2.37360e-002,A10=-3.80127e-003,A12=-9.92589e-005
12:K=1.96649e+000,A3=3.31162e-003,A4=-1.34551e-001,A5=6.91107e-002,A6=-2.04651e-002,A8=6.55348e-004,A10=8.87569e-004,A12=-2.41822e-004,A14=1.40847e-005
13:K=7.98748e+001,A3=-1.14749e-002,A4=2.33949e-002,A5=-6.15964e-002,A6=3.92405e-002,A8=-1.19550e-002,A10=2.59773e-003,A12=-2.30155e-004,A14=-2.02946e-005
14:K=-8.75176e+000,A3=-2.35641e-002,A4=-6.26544e-002,A5=3.57659e-002,A6=-1.76844e-003,A8=-3.93870e-003,A10=1.08225e-003,A12=-1.29351e-004,A14=6.44420e-006
15:K=-3.02596e+000,A3=-3.46216e-002,A4=-5.44880e-002,A5=1.45521e-002,A6=7.87924e-003,A8=-6.49846e-004,A10=-5.22505e-005,A12=8.78889e-006,A14=-3.16845e-007
16:K=-1.22818e+001,A3=5.28702e-003,A4=-7.56527e-002,A5=4.70156e-002,A6=-1.10815e-002,A8=3.88675e-004,A10=-3.77309e-005,A12=2.85396e-006,A14=-6.92262e-008
FL    4.628
Fno   1.45
w     74.22
Ymax  3.564
BF    0.757
TL    6.000
BFa   0.720
TLa   5.963
合焦距離   INF       10cm       10cm全群繰出し(比較例)
d12       0.5234     0.6382     0.5234
d18       0.1471     0.3013     0.3740
Elem   Surfs   Focal Length    Diameter
1     2- 3      3.5049        3.145
2     4- 5     -5.0243        2.746
3     7- 8    -14.1561        2.985
4     9-10      8.8966        3.327
5    11-12     52.8437        3.655
6    13-14      3.8078        4.397
7    15-16     -2.8044        6.380
【００６７】
図２７は実施例５及び比較例５の無限遠方フォーカシング時の収差図（球面収差（ａ）、非点収差（ｂ）、歪曲収差（ｃ）、メリディオナルコマ収差（ｄ），（ｅ））である。図２８は実施例５の近距離被写体フォーカシング時の収差図（球面収差（ａ）、非点収差（ｂ）、歪曲収差（ｃ）、メリディオナルコマ収差（ｄ），（ｅ））である。図２９は比較例５の近距離被写体フォーカシング時の収差図（球面収差（ａ）、非点収差（ｂ）、歪曲収差（ｃ）、メリディオナルコマ収差（ｄ），（ｅ））である。
【００６８】
図２５，２６を比較すると、全群等量繰出しの比較例５に対して、後群より前群の繰り出し量を大きくした実施例５では、無限遠方フォーカシング時の光路（実線）に対して、近距離被写体フォーカシング時の光路（一点鎖線）の光軸直交方向変動量が少ない。よって、各レンズの光線入射位置の変動が、被写体距離にかかわらず抑制される。これにより、図２８，２９を比較すると明らかなように、収差変動を抑制できる。
【００６９】
各条件式に対応する実施例の値を表６にまとめて示す。
【００７０】
［表６］
実施例１      実施例２        実施例３      実施例４      実施例５
（１）   1.37458       1.30901        1.26610       1.05135       1.74449
（２）   0.82925       0.83574        0.80241       0.82655       0.75738
（３）  -1.22516      -1.25187       -1.35455      -1.19247      -1.08572
（４）  -0.67685      -0.66759       -0.59238      -0.69314      -0.69758
【００７１】
また、本発明は、明細書に記載の実施例に限定されるものではなく、他の実施例・変形例を含むことは、本明細書に記載された実施例や思想から本分野の当業者にとって明らかである。例えば、実質的に屈折力を持たないダミーレンズを更に付与した場合でも本発明の適用範囲内である。
【符号の説明】
【００７２】
１０            撮像レンズ
５０            撮像ユニット
５１            撮像素子
５１ａ            光電変換部
５２            基板
５３            鏡筒
５３ａ            物体側壁
５４            光学フィルタ
５５            第１アクチュエータ
５６            第２アクチュエータ
５７            台座部材
６０            入力キー部
７０            液晶表示部
７１            アイコン
８０            無線通信部
９２            記憶部
１００            スマートフォン
１０１            制御部
ＨＤ１            第１ホルダ
ＨＤ２            第２ホルダ
Ｌ１-Ｌ７        レンズ
【図１】
2015114505.tif 000004
【図２】
2015114505.tif 000005
【図３】
2015114505.tif 000006
【図４】
2015114505.tif 000007
【図５】
2015114505.tif 000008
【図６】
2015114505.tif 000009
【図７】
2015114505.tif 000010
【図８】
2015114505.tif 000011
【図９】
2015114505.tif 000012
【図１０】
2015114505.tif 000013
【図１１】
2015114505.tif 000014
【図１２】
2015114505.tif 000015
【図１３】
2015114505.tif 000016
【図１４】
2015114505.tif 000017
【図１５】
2015114505.tif 000018
【図１６】
2015114505.tif 000019
【図１７】
2015114505.tif 000020
【図１８】
2015114505.tif 000021
【図１９】
2015114505.tif 000022
【図２０】
2015114505.tif 000023
【図２１】
2015114505.tif 000024
【図２２】
2015114505.tif 000025
【図２３】
2015114505.tif 000026
【図２４】
2015114505.tif 000027
【図２５】
2015114505.tif 000028
【図２６】
2015114505.tif 000029
【図２７】
2015114505.tif 000030
【図２８】
2015114505.tif 000031
【図２９】
2015114505.tif 000032